(57)【要約】      （修正有）【課題】ヒンジ部分の高さ寸法を抑えるとともに、所定の停止位置で蓋体部を確実に保持できるようにする。【解決手段】本体部に対して水平回動する蓋体部をヒンジ装置によって本体部と連結する。ヒンジ装置を蓋体部と一体的に回転する回転カム７、回転カム７を押圧するスライドカム８、スライドカム８を付勢するコイルバネ９、回転カム７と係合するストッパ１０で構成する。蓋体部を回転すると、回転カム７が回転し、回転カム７のカム部１７が第１傾斜カム２０ａを押し下げ、コイルバネ９によって蓋体部を反回転操作方向に回転付勢するが、回転カム７のカム部１７が反転ポイントａを過ぎると、蓋体部を回転操作方向に回転付勢する。【選択図】図６
2011112150.tif 000002
【特許請求の範囲】
【請求項１】
本体部と蓋体部とを回転軸回りに水平回動自在に枢着するヒンジ装置であって、前記蓋体部と一体的に回転する回転カムと、このカムを押圧するスライドカムと、このスライドカムを付勢する付勢部材とを備え、前記蓋体部を閉位置から展開させた時、前記付勢部材は前記回転カムがスライドカムの反転ポイントに至るまでの間は縮退方向に弾性変形し、前記回転カムがスライドカムの反転ポイントを通過することで弾性復帰し、前記蓋体部を展開方向に回転付勢するように構成したヒンジ装置において、前記回転カムと係合する複数のストッパ手段を設け、前記回転カムには前記ストッパ手段と対応して該ストッパ手段と係合可能な複数の係合受部を形成し、このストッパ手段と係合受部との係合によって前記蓋体部を閉位置と、所定展開位置で保持するように構成したことを特徴とするヒンジ装置。
【請求項２】
前記回転カムは、前記回転軸を回転中心としたほぼ円板状とし、その外周部に前記スライドカムに沿って摺動する突状のカム部を備えるとともに、前記係合受部を構成する複数の切欠部を形成し、この切欠部内に前記ストッパ手段を配置し、この切欠部と前記ストッパ手段との係合によって前記蓋体部を閉位置と、所定展開位置で保持するように構成したことを特徴とする請求項１記載のヒンジ装置。
【請求項３】
前記回転カムと、スライドカムと、付勢部材と、ストッパ手段をホルダ内に収納し、これら回転カム、スライドカム、付勢部材、ストッパ手段をほぼ同一平面上に配置したことを特徴とする請求項１又は２記載のヒンジ装置。
【請求項４】
前記スライドカムをスライド案内するガイド機構を設けたことを特徴とする請求項１〜３の何れか１項に記載のヒンジ装置。
【請求項５】
前記回転軸をそれぞれ中空状の第１回転筒部と、第２回転筒部とから成る中空二重構造としたことを特徴とする請求項１〜４の何れか１項に記載のヒンジ装置。
【請求項６】
請求項１〜５の何れか１項に記載のヒンジ装置を用い、前記蓋体部が前記本体部の操作部又は表示部の少なくとも一方を覆う閉位置と、前記本体部の操作部又は表示部の少なくとも一方を露出させる展開位置との間に回動可能に取り付けられることを特徴とする携帯型情報機器。
【発明の詳細な説明】
【技術分野】
【０００１】
本発明は、ヒンジ装置及びこれを用いた携帯型情報機器、特にカム機構を用いて蓋体部を水平方向に回動させて本体部に対して蓋体部を重ね合わせた閉位置と、蓋体部と本体部とをほぼ９０°展開した位置で該蓋体部を位置決め保持することが可能なヒンジ装置及びこれを用いた携帯型情報機器に関する。
【背景技術】
【０００２】
従来の携帯型情報機器、例えば携帯電話などは、特許文献１などで示すように、数字キーやファンクションキーを配列した操作部を備えた本体部と、この操作部のキー操作等により所定の表示がなされる液晶パネルなどのディスプレイ部を備えた蓋体部とで構成され、携帯時には本体部と蓋体部とをコンパクトに重ね合わせた状態とし、使用時に蓋体部を展開させることによって操作部とディスプレイ部とを外面側に露出させるように構成している。
【０００３】
このような携帯電話においては、蓋体部を展開する方法として、例えば、特許文献１のように二つ折りに折畳んだ状態から蓋体部を起立方向に展開する方法や、特許文献２、３のように、蓋体部を起立方向に展開させ、かつ、蓋体部を水平方向に回動して開閉動作するように構成あるいは、特許文献４のように蓋体部を水平方向にスライドさせてオフセットするように構成した携帯電話など、多種多様な構成が知られている。
【先行技術文献】
【特許文献】
【０００４】
【特許文献１】特開２００４−１１７１８号公報
【特許文献２】特開２００３−３３６６２０号公報
【特許文献３】特開２００６−１４４８９１号公報
【特許文献４】特開２００６−５０２０４号公報
【発明の概要】
【発明が解決しようとする課題】
【０００５】
ところで、近年の携帯電話は多機能化が進み、電話以外の機能が付与され、例えば、テレビや動画観賞など、益々、液晶パネルなどから成るディスプレイ部の大型化が進み、テレビや動画観賞にはディスプレイ部の向きを横向きとしたほうが見やすい。このため、携帯電話のディスプレイ部を備えた蓋体部は、前記特許文献２や特許文献３のように水平方向に９０度回転させて保持する構成が適している。
【０００６】
しかし、特許文献２及び特許文献３で示すヒンジ装置のカム機構は、蓋体部と一体的に回転する回転カムと、この回転カムと係合する固定カムと、固定カムを回転カムに押し付けるためのコイルバネ（付勢手段）とで構成され、これらの回転カムと固定カム及びコイルバネが蓋体部の回転中心である回転軸の軸方向に沿って配置されている。このため、カム機構全体の高さが嵩張ることから、ヒンジ部分の高さ寸法を抑えることが困難であり、一方、近年、携帯電話などの製品にあっては、携帯時の利便性を向上するため、極力、薄型であることが望まれている。
【０００７】
そこで、ヒンジ部分の高さ寸法を抑えたカム機構として例えば、図９及び図１０に示すヒンジ装置１００が知られている。このヒンジ装置１００は、回転カム１０１と、この回転カム１０１を付勢する付勢ユニット１０２が、蓋体部ａの回転中心となる回転軸１０３に対して直交方向に配置される。前記付勢ユニット１０２は、固定側ホルダ１０５と、この固定側ホルダ１０５にスライド自在に組み付けた可動型ホルダ１０６とか成る伸縮自在の枠体１０８と、前記固定側ホルダ１０５と可動型ホルダ１０６との間に架設した複数のバネ１０７とで構成し、前記固定側ホルダ１０５を本体部側のベース１１０に回動自在に枢着し、可動型ホルダ１０６を回転カム１０１に回動自在に枢着している。また、回転カム１０１には、外周部を切り欠いた切欠部１１１が形成され、前記ベース１１０には前記切欠部１１１と係合するストッパ１１２が立設されている。そして、前記蓋体部ａは閉位置（０°）において前記バネ１０７によって回転付勢され、前記切欠部１１１の一端とストッパ１１２とが係合し、蓋体部ａが閉じた状態で保持される。一方、使用者が蓋体部ａを水平方向に回転させると、回転カム１０１が蓋体部ａと一体的に回転し、この回転カム１０１に枢着される可動型ホルダ１０６の枢着部分が回転軌跡を描いて移動する。これにより、前記蓋体部ａを閉位置から展開させた時、前記バネ１０７は前記回転カム１０１の反転ポイント（可動型ホルダ１０６の枢着部分が固定側ホルダ１０５の枢着部分と最も近付くポイント）までは、前記バネ１０７は縮退方向に弾性変形し、蓋体部ａが反操作方向に回転付勢され、前記反転ポイントを通過することでバネ１０７が弾性復帰して前記蓋体部ａが展開方向に回転付勢される。これにより、蓋体部ａが略９０度、展開した位置で前記切欠部１１１の他端とストッパ１１２とが係合して蓋体部ａが保持される。
【０００８】
図９及び図１０に示すヒンジ装置１００は、蓋体部ａを回転付勢する回転カム１０１、この回転カム１０１の付勢ユニット１０２及び蓋体部ａの位置を規制するストッパ１１２が回転軸１０３の軸方向（携帯電話の高さ方向）ではなく、回転軸１０３に対して直交する方向に配置されるので携帯電話自体の薄型化が可能となるが以下の課題を有している。すなわち、回転カム１０１の回転によって、前記バネ１０７の反転ポイントを通過させることで、このバネ１０７の弾性復帰力によって蓋体部ａ（回転カム１０１）をその回転操作方向に付勢するようにした構成では、バネ１０７の付勢力、蓋体部ａを操作する際の使用者の力加減などによって、蓋体部ａを開閉する際、蓋体部ａを反回転方向から回転方向に切り換えるバネ１０７の反転ポイントが一定せず、不安定である。さらに、蓋体部ａが閉じた状態と、開いた状態において、前記バネ１０７の付勢力は反転ポイントを超えた時点で切り換わり、その付勢力を回転カム１０１の切欠部１１１とストッパ１１２との係合部分で受ける止めることから、反転ポイントを超えてからの衝撃が切欠部１１１とストッパ１１２との係合部分の一点に集中し、蓋体部ａの操作を繰り返すうちに回転カム１０１の切欠部１１１とストッパ１１２との係合部分が磨耗してストッパ１１２による蓋体部ａの停止位置がズレやすい。また、図１０に示すように、蓋体部ａが薄板状の回転カム１０１と一体的に固定され、この回転カム１０１を介して蓋体部ａが回転軸１０３に軸支されているため、蓋体部１０２を水平回転させる際、その回転方向に対して直交方向（垂直方向）に力が加わると、薄い回転カム１０１の枢着部分に応力が集中してしまい、蓋体部ａのガタ付いて蓋体部ａの動作も不安定であるとともに、耐久性に劣るという課題を有している。
【０００９】
本発明は、前記事情に鑑みなされたもので、蓋体部を本体部に対して水平方向に回動して開閉動作するためのヒンジ装置において、ヒンジ装置の薄型化を図るとともに、蓋体部を所定位置で正確に位置決め保持し、かつ、蓋体部の取り付けを長期に渡って安定的に維持することが可能なヒンジ装置及びこれを用いた携帯型情報機器を提供することを目的とする。
【課題を解決するための手段】
【００１０】
本発明の請求項１記載のヒンジ装置は、本体部と蓋体部とを回転軸回りに水平回動自在に枢着するヒンジ装置であって、前記蓋体部と一体的に回転する回転カムと、このカムを押圧するスライドカムと、このスライドカムを付勢する付勢部材とを備え、前記蓋体部を閉位置から展開させた時、前記付勢部材は前記回転カムがスライドカムの反転ポイントに至るまでの間は縮退方向に弾性変形し、前記回転カムがスライドカムの反転ポイントを通過することで弾性復帰し、前記蓋体部を展開方向に回転付勢するように構成したヒンジ装置において、前記回転カムと係合する複数のストッパ手段を設け、前記回転カムには前記ストッパ手段と対応して該ストッパ手段と係合可能な複数の係合受部を形成し、このストッパ手段と係合受部との係合によって前記蓋体部を閉位置と、所定展開位置で保持するように構成したことを特徴とする。
【００１１】
請求項１の構成により、蓋体部を閉じた状態において蓋体部と一体的に回転する回転カムは、付勢手段によって付勢されるスライドカムに押され、回転付勢される。そして、蓋体部を閉位置から例えば右方向に回転操作させると、回転カムが蓋体部と一体的に回転し、回転カムがスライドカムを押し下げることによって、蓋体部には反操作方向（蓋体部が戻る方向）の回転付勢力が作用する。そして、回転カムがスライドカムの反転ポイントを超えると、蓋体部が回転操作方向に回転付勢され、蓋体部が例えば９０°回転した展開位置で保持される。この時、回転カムは複数のストッパ手段と係合し、蓋体部が９０°展開した位置で保持される。
【００１２】
本発明の請求項２記載のヒンジ装置は、前記回転カムは、前記回転軸を回転中心としたほぼ円板状とし、その外周部に前記スライドカムに沿って摺動する突状のカム部を備えるとともに、前記係合受部を構成する複数の切欠部を形成し、この切欠部内に前記ストッパ手段を配置し、この切欠部と前記ストッパ手段との係合によって前記蓋体部を閉位置と、所定展開位置で保持するように構成したことを特徴とする。
【００１３】
請求項２の構成により、蓋体部を閉じた位置（０°）と、例えば９０°展開位置で複数のストッパ手段が切欠部の端部に当接し、蓋体部の回転が規制される。
【００１４】
本発明の請求項３記載のヒンジ装置は、前記回転カムと、スライドカムと、付勢部材と、ストッパ手段をホルダ内に収納し、これら回転カム、スライドカム、付勢部材、ストッパ手段をほぼ同一平面上に配置したことを特徴とする。
【００１５】
請求項３の構成により、回転カム、スライドカム、付勢部材、ストッパ手段がホルダ内で同一平面上に配置され、ヒンジ装置が薄型化される。
【００１６】
本発明の請求項４記載のヒンジ装置は、前記スライドカムをスライド案内するガイド機構を設けたことを特徴とする。
【００１７】
請求項４記載の構成により、回転カムを押圧するスライドカムは、回転カムの回転によってガイド機構によって案内され、安定的にスライドする。
【００１８】
本発明の請求項５記載のヒンジ装置は、前記回転軸をそれぞれ中空状の第１回転筒部と、第２回転筒部とから成る中空二重構造としたことを特徴とする。
【００１９】
請求項５記載の構成により、回転軸の剛性を高めて蓋体部を回転操作する途中で蓋体部に回転方向に対して直交する方向に力が加わったとしても、蓋体部がガタ付くことなく安定した状態で回転し、蓋体部の動作も安定する。
【００２０】
本発明の請求項６記載の携帯型情報機器は、請求項１〜５の何れか１項に記載のヒンジ装置を用い、前記蓋体部が前記本体部の操作部又は表示部の少なくとも一方を覆う閉位置と、前記本体部の操作部又は表示部の少なくとも一方を露出させる展開位置との間に回動可能に取り付けられることを特徴とする。
【００２１】
請求項６記載の構成により、ヒンジ装置の高さ寸法を抑えてヒンジ装置、ひいては携帯型情報機器を薄型化できる。
【発明の効果】
【００２２】
本発明によれば、ヒンジ装置の主要構成部品である回転カム、スライドカム、付勢手段が水平方向に並んで配置され、ヒンジ装置の高さを抑えることができ、ヒンジ装置の薄型化及びこのヒンジ装置を用いた携帯型情報機器の薄型化が可能となるとともに、蓋体部を開く際、回転カムがスライドカムの反転ポイントを超えると、蓋体部の回転付勢力は反回転操作方向から回転方向へと確実に切り換わり、その反転ポイントの位置や蓋体部を操作する際の回転トルクの設定もスライドカムに形成するカム面の形状によって簡単に設定することができる。また、蓋体部を所定位置に保持するストッパ手段が複数設けられ、蓋体部を所定位置に保持する際、付勢手段の付勢力が一点に集中して局部的に負荷が加わることなく、複数のストッパ手段に分散され、ストッパ手段と回転カムとの係合部分の磨耗などによって蓋体部の停止位置が狂うといった虞れもない。さらに、回転軸を構成する第１回転筒部と第２回転筒部との中空二重構造とすることで回転軸の剛性を高めることができ、蓋体部を回転する際、蓋体部がガタ付くことなく安定した状態で回転し、蓋体部の動作も安定する。
【図面の簡単な説明】
【００２３】
【図１】本発明の一実施例を示す携帯電話の蓋体部の動作を示す正面図である。
【図２】同上、ヒンジ装置の分解斜視図である。
【図３】同上、ヒンジ装置の斜視図である。
【図４】同上、ヒンジ装置を裏面側から見た斜視図である。
【図５】同上、蓋体部を閉位置で保持した状態を示すカム機構の斜視図である。
【図６】同上、蓋体部の反転位置を示すカム機構の斜視図である。
【図７】同上、蓋体部を展開位置で保持した状態を示すカム機構の斜視図である。
【図８】ヒンジ装置の断面図である。
【図９】従来のヒンジ装置を示す正面図である。
【図１０】従来のヒンジ装置を示す断面図である。
【発明を実施するための形態】
【００２４】
本発明の実施の形態を実施例に基づき図面を参照して説明する。図１は、本発明を適用した携帯電話機の正面図であり、同図で示すように、携帯電話機１は、複数の操作キー２を有する本体部３と、液晶パネルなどのディスプレイ４を備えた蓋体部５と、これら本体部３と蓋体部５を回動自在に連結するヒンジ装置６とで構成される。蓋体部５はヒンジ装置６によって本体部３と重ね合わせた閉位置（０°）と、本体部３に対して略９０°水平回動した状態で位置決め保持される。
【００２５】
次に本実施例のヒンジ装置６について図２の分解斜視図、図８の断面図などに基づいて説明する。ヒンジ装置６は、前記蓋体部５と一体的に回転する回転カム７と、この回転カム７を押圧するスライドカム８と、このスライドカム８を付勢する付勢手段たるコイルバネ９と、前記回転カム７と係合するストッパ（ストッパ手段）１０と、これら主要部品を収納するホルダ１１とで構成されている。
【００２６】
前記蓋体部５を回転自在に軸支する回転軸１２は、図９に示すように、中空状の第１回転筒部１３と、第２回転筒部１４とから成り、この第１回転筒部１３と第２回筒部１４は、それぞれ一端部にそれぞれフランジ部１３ａ，１４ａを有している。そして、第１回転筒部１３を前記ホルダ１１の下方から貫通し、その第１回転筒部１３を外装するようにして前記ホルダ１１の上方から第２回転筒部１４を貫通させ、第２回転筒部１４から突出する第２回転筒部１４を加締める（加締め部１３ｂ）ことによって第１回転筒部１３と第２回転筒部１４とを一体的に連結している。また、第２回筒部１４の下端部には段差部１４ｂが形成され、その段差部１４ｂをホルダ１１に接触させることによって、第２回筒部１４が前記回転カム７のスペーサとしても機能する。
【００２７】
前記回転カム７は、全体として円板状に形成され、中心部に前記第２回転筒部１４と係合する係合溝１５を有する嵌合孔１６を形成するとともに、周縁部に前記スライドカム７に沿って摺動する突状のカム部１７と、前記ストッパ１０と係合する一対の切欠部１８，１８を形成している。また、前記第２回転筒部１４の上端部に形成するフランジ部１４ａは、前記蓋体部５にねじ（図示せず）によって固定され、蓋体部５を水平方向に回動すると、蓋体部５と共に前記第２回転筒部１４及び第２回転筒部１３が回転し、さらに、前記第２回転筒部１４と嵌合する回転カム７が水平回転する。
【００２８】
前記スライドカム８は、前記コイルバネ９によって前記回転カム７に押し付けられるカム面２０と、このカム面２０と直交する腕片２１とを有して全体として略Ｔ字型に成形されている。また、前記ホルダ１１には前記腕片２１と間隔をおいて対向する受体２２が固定され、この受体２２と前記腕片２１との間に前記コイルバネ９が架設されている。前記腕片２１には複数のガイドピン２３が圧入固定され、この各ガイドピン２３が前記受体２２にスライド自在に貫通している。さらに、図４に示すように、ホルダ１１にはガイド孔２４を有するガイド枠２５が固定され、そのガイド孔２４に沿って前記腕片２１に裏面側に形成するガイド用突起２６がスライド自在に案内され、これらガイドピン２３、ガイド孔２４、ガイド枠２５及びガイド用突起２６によって前記スライドカム８をスライド案内するガイド機構を構成している。
【００２９】
また、前記コイルバネ９は前記各ガイドピン２３に外装され、このコイルバネ９の付勢力によって前記カム面２０が常の前記回転カム７を押圧している。このカム面２０は、前記コイルバネ９の付勢力に対して山型に傾斜した第１傾斜カム２０ａと第２傾斜カム２０ｂとから成り、その第１傾斜カム２０ａと第２傾斜カム２０ｂとの境界部分（頂点部分）を反転ポイントａとし、前記回転カム７には前記反転ポイントａと嵌合するように湾曲状の嵌合凹部１９を形成している。
【００３０】
前記ホルダ１１は、下部側のベース３０ａと上部側のカバー３０ｂとからなり、図示しないネジ（図示しない）によって本体部２と一体的に固定されている。また、ホルダ１１には前記回転軸１２を軸支する貫通孔１１ａが形成され、前記ベース３０ａの下方から前記第１回転筒部１３を貫通させ、その第１回転筒部１３に第２回転筒部１４を外装するようにして前記カバー３０ｂの上方から第２回転筒部１４を挿入し、第２回転筒部１４から突出する第１回転筒部１３の上端部を加締める（加締め部１３ｂ）ことによって第１回転筒部１３と第２回転筒部１４とを一体化している。これにより、中空二重構造の回転軸１２がホルダ１１に枢着され、蓋体部５と回転軸１２（第１回転筒部１３、第２回転筒部１４）とが一体的に回転する。この時、第１回転筒部１３に形成するフランジ部１３ａがホルダ１１のベース３０ａに沿って回転するとともに、第２回転筒部１４に形成するフランジ部１４ａがホルダ１１のカバー３０ｂに沿って回転する。また、中空状の第１回転筒部１３内にケーブルなどの配線部材（図示しない）を通すことが可能となり、本体部３と蓋体部５との間に配線部材を引き回すように配線処理することが可能である。
【００３１】
また、ベース３０ａには前記ガイド枠２５と嵌合する取付孔３１が形成されるとともに、前記ストッパ１０，１０が切り起し形成され、このストッパ１０，１０が前記回転カム７の切欠部１８，１８の何れか一方の端部に係合することによって前記回転カム７、ひいては蓋体部５の回転を規制し、蓋体部５を閉位置と９０°展開した位置で保持している。
【００３２】
次に図５〜図７を参照して蓋体部５の回転操作に伴うカム機構の動作について説明する。なお、図５〜図７において、内部構造が分かり易いようにホルダ１１のカバー３０ｂ及び第２回転筒部１４を省略した状態を示し、以下、説明する。
【００３３】
図５に示すように、携帯電話機１の蓋体部５を閉じた状態において（この状態を０°とする）、蓋体部５と一体的に回転する回転カム７は、コイルバネ９によって付勢されるスライドカム８に押され、図５において（反時計方向）に回転付勢される。これにより、回転カム７に形成する切欠部１８，１８の一端部とストッパ１０，１０とが係合して回転カム７（蓋体部５）の回転が規制されている。この時、回転カム７のカム部１７とスライドカム８の第１傾斜カム２０ａとが係合している。
【００３４】
図６に示すように、前記蓋体部５を閉位置から右方向（図５において矢印Ｓ）に回転操作させると、第２回転筒部１４を介して回転カム７が蓋体部５と一体的に回転する。これにより、コイルバネ９の付勢力Ｆに抗して回転カム７のカム部１７が第１傾斜カム２０ａを押し下げる。この第１傾斜カム２０ａと回転カム７のカム部１７とが係合する回転領域は０°からほぼ３４°であり、カム部１７が第１傾斜カム２０ａから外れる３４°まではコイルバネ９によって蓋体部５は回転操作力に抗して蓋体部５が戻る付勢力が作用する。
【００３５】
そして、蓋体部５を３４°以上回転操作すると、回転カム７のカム部１７が第１傾斜カム２０ａと第２傾斜カム２０ｂの境界部分に位置する反転ポイントａに達し、その反転ポイントａを過ぎると回転カム７のカム部１７が第２傾斜カム２０ｂと係合する。これにより、第２傾斜カム２０ｂに沿って回転カム７のカム部１７を滑り降りようとする力が作用し、コイルバネ９の付勢力によって蓋体部５が開方向に付勢される。
【００３６】
次に、図７に示すように、コイルバネ９の付勢力によって蓋体部５が９０°回転すると、回転カム７に形成する切欠部１８，１８の他端部とストッパ１０，１０とが係合するとともに、回転カム７に形成する嵌合凹部１９が第１の傾斜カム２０ａと第２傾斜カム２０ｂとが接する山型の反転ポイントａと嵌合して回転カム７（蓋体部５）の回転が規制されている。これにより、蓋体部５が９０°回転した展開位置で位置決め保持されることになる。
【００３７】
また、蓋体部５を閉じるために、蓋体部５を９０°回転させた展開位置から左方向（図１において反時計方向）に回転すると、第２傾斜カム２０ｂから第１傾斜カム２０ａまでの回転領域、すなわち、蓋体部５を５６°回転するまでは、前述した蓋体部５を閉位置から開く動作と同様、回転カム７に形成するカム部１７が第２傾斜カム２０ｂと係合している状態ではコイルバネ９によってカム部１７が押され、蓋体部５を開く方向の回転トルクが作用し、５６°以上閉じると、カム部１７がカム面２０の反転ポイントａを超えて第１傾斜カム２０ａに切り換わり、コイルバネ９の付勢力によって蓋体部５が閉じる方向に付勢される。これにより、蓋体部５が自動的に回転し、回転カム７に形成する切欠部１８，１８の一端部がストッパ１０，１０と係合して回転カム７（蓋体部５）の回転が規制され、蓋体部５は閉位置（０°）で位置決め保持される。
【００３８】
以上のように、例えば、放送受信やインターネットの閲覧などに際し、ディスプレイ４を横向きとする場合などにおいて、蓋体部５を３４°以上回転すれば回転カム７に形成するカム部１７がカム面２０の反転ポイントａを超え、コイルバネ９によって９０°展開した位置までワンタッチで回転することができ、片手での操作が可能であるため、操作が極めて容易である。また、蓋体部５の閉位置において、３４°までの角度領域では、回転カム７のカム部１７とスライドカム８の第１傾斜カム２０ａとが係合し、蓋体部５は回転操作方向に対して逆方向の回転トルクが付与されるから、例えば蓋体部５と他の部材とが干渉して蓋体部５に開く方向の力が作用したとしても、蓋体部５が不用意に開く虞れもない。さらに、蓋体部５を閉位置と展開位置で保持するヒンジ装置６は、ヒンジ装置６の主要構成部品である回転カム７とスライドカム８及びスライドカム８を回転カム７に押し付けるコイルバネ９が水平方向に並んで同一平面上に配置され、ヒンジ装置６の高さを抑えることができ、ヒンジ装置６を薄型化及びこのヒンジ装置６を用いた携帯電話１の薄型化が可能となる。
【００３９】
また、蓋体部５を開く際、回転カム７のカム部１７がカム面２０の反転ポイントａを超えて第１傾斜カム２０ａから第２傾斜カム２０ｂに切り換わることによって蓋体部５が回転操作方向から反回転方向に確実に切り換わる。これにより、蓋体部５を３４°回転させた位置で正確に蓋体部５の回転付勢方向を切り換えることができ、また、その反転ポイントａの位置や蓋体部５を操作する際の回転トルクの設定もスライドカム８に形成するカム面２０の傾斜や形状によって簡単に変更することができる。
【００４０】
さらに、回転カム７に形成する切欠部１８，１８とストッパ１０，１０とを係合させ、蓋体部５を閉位置と９０°開いた展開位置で回転カム７（蓋体部５）の回転を規制することができる。すなわち、切欠部１８，１８と係合するストッパ１０，１０を複数、設けることで蓋体部５の閉位置と展開位置において回転カム７（蓋体部５）が一対のストッパ１０，１０で支持され、コイルバネ９の付勢力による負荷が一点に集中することなく、分散される。これにより、切欠部１８，１８とストッパ１０，１０との係合部分の磨耗を抑制し、蓋体部５の停止位置が狂うといった虞れもなく、蓋体部５と本体部３を重ね合わせた閉位置と９０°開いた展開位置で蓋体部５を正確、かつ、確実に位置規制することができる。また、実施例では、蓋体部５を閉位置と９０°開いた展開位置では、回転カム７に形成する嵌合凹部１９がカム面２９の反転ポイントａに嵌合することから、前記切欠部１８，１８とストッパ１０，１０に加えて回転カム７に形成する嵌合凹部１９とスライドカム８に形成する反転ポイントａとの係合部分の３点で支持されることから、これらの係合部分に加わる負荷がより一層、分散されることになる。
【００４１】
また、回転カム７を押圧するスライドカム８は、ガイド機構を構成するスライドカム８に取り付けた複数のガイドピン２３と、このガイドピン２３を案内する受体２２及びスライドカム８に形成するガイド用突起２６と、このガイド用突起２６を案内するガイド枠２５によってホルダ１１内で安定的に案内され、スライドカム８のスライド移動も安定し、スライドカム８を確実に回転カム７に係合させることが可能であるから、回転カム７の切り換え動作も確実である。
【００４２】
さらに、蓋体部５を軸支する回転軸１２は、それぞれ中空状の第１回転筒部１３と、第２回転筒部１４を嵌め合せた中空二重構造とすることによって、回転軸１２の剛性を高めることができるとともに、蓋体部５と連結する第２回転筒部１４は、蓋体部５の回転時に第２回転筒部１４に形成する径大なフランジ部１４ａがホルダ１１のカバー３０ｂに沿って回転し、第１回転筒部１３に形成するフランジ部１３ａがホルダ１１のベース３０ａに沿って回転する。さらに、第２回転筒部１４に形成する段差部１４ｂもホルダ１１のベース３０ａに沿って回転する。すなわち、回転軸１２は第１回転筒部１３と第２回転筒部１４を加締め部１３ｂによって一体化してホルダ１１に回転自在に軸支され、かつ、第１回転筒部１３のフランジ部１３ａと第２回転筒部１４のフランジ部１４ａとでホルダ１１を上下に挟み付けた状態で各フランジ部１３ａ，１４ａがそれぞれホルダ１１（ベース３０ａ及びカバー３０ｂ）に沿って回転するとともに、第２回転筒部１４に形成する段差部１４ｂもホルダ１１のベース３０ａに支持されることから、蓋体部５を回転する際、蓋体部５の回転方向に対して直交する方向（垂直方向）に力が加わったとしても、第１回転筒部１３のフランジ部１３ａと第２回転筒部１４のフランジ部１４ａとホルダ１１とで蓋体部５が支持される。これにより、蓋体部５がガタ付くことなく安定した状態で回転し、蓋体部５の動作も安定する。
【００４３】
以上、本発明の一実施例について詳述したが、本発明は前記実施例に限定されるものではなく、本発明の要旨の範囲内で種々の変形実施が可能である。例えば、前記実施例では、蓋体部５の停止位置を規制するストッパ１０，１０をベース３０ｂから切り起こして形成した例を示したが、ベース３０ｂにストッパピン４０をねじなどで固定して設けてもよく、また、ストッパ１０，１０の数も２個に限定されるものではない。また、付勢手段としてコイルバネを設けた例を示したが、トーションバネや板バネなどを採用することができる。さらに、前記実施例では、蓋体部５を閉位置と９０°開いた展開位置において、回転カム７に形成する嵌合凹部１９をカム面２９の反転ポイントａに嵌合させることによって、切欠部１８，１８とストッパ１０，１０及び嵌合凹部１９の３点で支持した例を示したが、回転カム７に形成する嵌合凹部１９を省略し、前記切欠部１８，１８とストッパ１０，１０とで支持するようにしてもよく、要は回転カム７を複数箇所で係合すれば必ずしも嵌合凹部１９は必要ない。
【００４４】
また、前記実施形態では、携帯型情報機器として携帯電話１を例として説明したが、携帯電話１に限らず、各種の機器に広く適用可能であるとともに、携帯電話１の構造として本体側に操作キー２を、蓋体部５にディスプレイ４を備えた例を示したが、操作キー２に変えてディスプレイ４にキーボードを表示させるタッチパネル型でもよく、携帯電話１自体の構造は適宜選定すればよい。
【符号の説明】
【００４５】
１    携帯電話機（携帯型情報機器）
３    本体部
５    蓋体部
６    ヒンジ装置
７    回転カム
８    スライドカム
９    コイルバネ（付勢手段）
１０    ストッパ
１１    ホルダ
１２    回転軸
１３    第１回転筒部
１４    第２回転筒部
１７    カム部
１８    切欠部
２０    カム面
２０ａ    第１傾斜カム
２０ｂ  第２傾斜カム
ａ  反転ポイント
２３  ガイドピン（ガイド機構）
２４  ガイド孔（ガイド機構）
２５  ガイド枠（ガイド機構）
２６  ガイド用突起（ガイド機構）
【図１】
2011112150.tif 000003
【図２】
2011112150.tif 000004
【図３】
2011112150.tif 000005
【図４】
2011112150.tif 000006
【図５】
2011112150.tif 000007
【図６】
2011112150.tif 000008
【図７】
2011112150.tif 000009
【図８】
2011112150.tif 000010
【図９】
2011112150.tif 000011
【図１０】
2011112150.tif 000012